(57)【要約】【課題】  フィルムスキャナで人為的なキャニングを可能にし、フィルムプロセッサから送り出されたフィルムをフィルムスキャナに自動的、かつ適正にフィルムスキャナに供給してスキャニングを行うフィルム処理装置を構成する。【解決手段】  フィルムプロセッサから排出されたフィルムＦを供給搬送ユニットＡから導入ガイドＴを介してフィルムスキャナに供給する自動スキャニングモードのための搬送系を形成し、手動でスキャニングを行う際には、導入ガイドＴの蓋体３２を開放し、この部位からフィルムＦを供給可能に構成する。【選択図】図４
2007206505.tif 000002
【特許請求の範囲】
【請求項１】
未現像写真フィルムの現像処理を行うフィルムプロセッサと、現像済写真フィルムのコマの情報をデジタル信号化された画像データとして取得するフィルムスキャナと、前記フィルムプロセッサから送り出された現像済写真フィルムを前記フィルムスキャナに送り込む供給搬送ユニットとを備えているフィルム処理装置であって、
前記供給搬送ユニットから供給される前記現像済写真フィルムを前記フィルムスキャナに導入する位置に導入ガイドを備え、この導入ガイドは、ガイド本体と、このガイド本体に対して開閉自在に配置される蓋体とを備えて構成され、
前記フィルムプロセッサから送り出された前記現像済写真フィルムを前記供給搬送ユニットから前記蓋体が閉じられた前記導入ガイドの経路に導入する自動スキャニングモードでの作動を実現する搬送制御手段を備え、
前記フィルムスキャナは、前記蓋体を開放した前記導入ガイドの経路に現像済フィルムを人為的に挿入することによりスキャニング可能に構成しているフィルム処理装置。
【請求項２】
前記蓋体の開閉状態を検出する開閉センサを備え、
前記搬送制御手段は、前記自動スキャニングモードと、前記フィルムプロセッサから送り出された前記現像済写真フィルムを前記供給搬送ユニットに送らずに排出する排出モードとの制御を実現し、
前記自動スキャニングモードにおいて、前記開閉センサからの信号によって蓋体が開放状態にあることを判別した場合には、前記フィルムプロセッサから送り出された現像済写真フィルムを前記排出モードで搬送するモード切換手段を備えている請求項１記載のフィルム処理装置。
【請求項３】
前記モード切換手段は、前記自動スキャニングモードに設定して前記フィルムプロセッサで現像処理を開始した後に、前記蓋体が閉じ姿勢から開放姿勢に切り換わったことを前記開閉センサからの信号で判別した場合には、前記排出モードに切換える処理を行い、前記フィルムプロセッサから送り出された現像済写真フィルムを排出モードで送り出す請求項２記載のフィルム処理装置。
【請求項４】
情報を表示するモニタを備え、前記モード切換手段は、前記自動スキャニングモードから排出モードに切り換えた場合には、その切換情報を前記モニタに表示する処理を行う請求項２又は３記載のフィルム処理装置。
【発明の詳細な説明】
【技術分野】
【０００１】
本発明は、未現像写真フィルムの現像処理を行うフィルムプロセッサと、現像済写真フィルムのコマの情報をデジタル信号化された画像データとして取得するフィルムスキャナと、前記フィルムプロセッサから送り出された現像済写真フィルムを前記フィルムスキャナに送り込む供給搬送ユニットとを備えているフィルム処理装置に関する。
【背景技術】
【０００２】
上記のように構成された、フィルム処理装置に関連する技術として特許文献１に記載されるものが存在する。この特許文献１では、フィルム引き出し部からの未現像写真フィルムを現像処理部に送って現像処理を行い、この現像処理後の現像済写真フィルムを乾燥部で乾燥するようにフィルムプロセッサが構成され、このフィルムプロセッサから送られる現像済写真フィルムをフィルムスキャナ（画像読み取り装置）に供給して画像データ（撮影データ）を取得する処理と、フィルムプロセッサから送られる現像済写真フィルムをフィルムスキャナに送らずに直接排出する処理とを行える点が記載されている。
【０００３】
このフィルム処理装置では、フィルムプロセッサから送られた現像済写真フィルムをフィルムスキャナに送る供給搬送ユニットを備え、この供給搬送ユニットは、搬送方向切り替え機構によって現像済写真フィルムを排出できるようにも構成されている。また、この搬送方向の切り替えは、写真フィルムに貼付された識別ラベルの内容から画像読み取りの要否を判断して搬送方向の切り替えを行い、フィルムスキャナで取得した（読み取った）画像データは写真プリント装置に伝送することも可能に構成されている。
【０００４】
【特許文献１】特開平１１‐２３４４７６号公報  （段落番号〔００１５〕〜〔００３６〕、図１、図２）
【発明の開示】
【発明が解決しようとする課題】
【０００５】
特許文献１に記載されるように、未現像写真フィルムの現像処理を行い、この現像処理よって得られる現像済写真フィルムのコマの情報を画像データとして取得する一連の処理を自動化したものは、オペレータの作業を簡素化するばかりでなく処理時間を短縮するものである。
【０００６】
しかしながら、特許文献１に記載されたフィルム処理装置では、未現像写真フィルムの現像処理を行った後には、スキャニング処理と排出処理とを選択できるものの、例えば既に現像処理を終えている現像済写真フィルムのスキャニング処理を行うことを考慮していないので、現像済写真フィルムから画像データを取得できないものであった。
【０００７】
このような不都合を解消するために、例えば、従来からのフィルムプロセッサと、従来からのフィルムスキャナとを備え、フィルムプロセッサから送り出される現像済写真フィルムをフィルムスキャナに供給する供給機構を備えることにより、フィルムプロセッサからの現像済写真フィルムを供給機構を介してフィルムスキャナに供給する自動供給と、この供給機構を機能させずに、フィルムスキャナに人為的に現像済写真フィルムの供給を行えるフィルム処理装置を構成することも考えられる。
【０００８】
このように従来からのフィルムプロセッサとフィルムプロセッサとを用いてフィルム処理装置を構成した場合には、特許文献１に記載された専用の装置と比較してコストを低減し得るものとなるものの、フィルムプロセッサから送り出される現像済写真フィルムをフィルムスキャナに供給する制御を選択した状態で、フィルムプロセッサから現像済写真フィルムが送り出される以前に、オペレータが誤ってフィルムスキャナに対して人為的に現像済写真フィルムを供給してスキャニングを開始した場合には、フィルムプロセッサから送り出された現像済写真フィルムを、既にスキャニングを開始しているフィルムスキャナに対して無理に供給する制御を行うことも考えられ改善の余地がある。
【０００９】
本発明の目的は、フィルムスキャナで人為的なスキャニングを可能にすると共に、フィルムプロセッサから送り出された現像済写真フィルムをフィルムスキャナに自動的、かつ適正に供給してスキャニングを行うフィルム処理装置を合理的に構成する点にある。
【課題を解決するための手段】
【００１０】
本発明の特徴は、未現像写真フィルムの現像処理を行うフィルムプロセッサと、現像済写真フィルムのコマの情報をデジタル信号化された画像データとして取得するフィルムスキャナと、前記フィルムプロセッサから送り出された現像済写真フィルムを前記フィルムスキャナに送り込む供給搬送ユニットとを備えているフィルム処理装置において、
前記供給搬送ユニットから供給される前記現像済写真フィルムを前記フィルムスキャナに導入する位置に導入ガイドを備え、この導入ガイドは、ガイド本体と、このガイド本体に対して開閉自在に配置される蓋体とを備えて構成され、前記フィルムプロセッサから送り出された前記現像済写真フィルムを前記供給搬送ユニットから前記蓋体が閉じられた前記導入ガイドの経路に導入する自動スキャニングモードでの作動を実現する搬送制御手段を備え、前記フィルムスキャナは、前記蓋体を開放した前記導入ガイドの経路に現像済フィルムを人為的に挿入することによりスキャニング可能に構成している点にある。
【００１１】
この構成により、搬送制御手段が自動スキャニングモードでの作動を行わせることによりフィルムプロセッサからの現像済写真フィルムを供給搬送ユニットから導入ガイドを介してフィルムスキャナに供給して自動的なスキャニングを実現でき、また、導入ガイドの蓋体を開放してガイドの経路に人為的に現像済写真フィルムを供給する形態でのスキャニングも実現する。つまり、従来からのフィルムプロセッサとフィルムスキャナとに供給搬送ユニットと導入ガイドとを備えることにより、現像からスキャニングまでの一連の処理をオペレータが手間を掛けずに行えるばかりでなく、例えば、既に現像処理を終えている現像済写真フィルムのスキャニングも行える。その結果、フィルムスキャナで人為的なスキャニングが可能で、しかも、フィルムプロセッサから送り出された現像済写真フィルムをフィルムスキャナに自動的に供給してスキャニングを行うフィルム処理装置が合理的に構成された。
【００１２】
本発明は、前記蓋体の開閉状態を検出する開閉センサを備え、前記搬送制御手段は、前記自動スキャニングモードと、前記フィルムプロセッサから送り出された前記現像済写真フィルムを前記供給搬送ユニットに送らずに排出する排出モードとの制御を実現し、前記自動スキャニングモードにおいて、前記開閉センサからの信号によって蓋体が開放状態にあることを判別した場合には、前記フィルムプロセッサから送り出された現像済写真フィルムを前記排出モードで搬送するモード切換手段を備えても良い。
【００１３】
この構成により、開閉センサからの信号によって蓋体が開放状態にあることを判別した場合には、搬送制御手段を自動スキャニングモードに設定してフィルムプロセッサで現像処理を行っていても、モード切換手段が排出モードに設定することにより、フィルムプロセッサから送り出された現像済写真フィルムを排出することになる。つまり、導入ガイドの蓋体が開放状態にある場合には、フィルムスキャナに対して人為的に現像済写真フィルムを挿入していることも考えられ、また、このように導入ガイドの蓋体が開放状態にある場合には、供給搬送ユニットから導入ガイドに対して現像済写真フィルムを適正に送り込めないためフィルムプロセッサから送り出された現像済写真フィルムを排出することで処理不能に陥る不都合を回避できる。
【００１４】
本発明は、前記モード切換手段は、前記自動スキャニングモードに設定して前記フィルムプロセッサで現像処理を開始した後に、前記蓋体が閉じ姿勢から開放姿勢に切り換わったことを前記開閉センサからの信号で判別した場合には、前記排出モードに切換える処理を行い、前記フィルムプロセッサから送り出された現像済写真フィルムを排出モードで送り出しても良い。
【００１５】
この構成により、搬送制御手段を自動スキャニングモードに設定してフィルムプロセッサで現像処理を開始した後に、導入ガイドの蓋体が開放操作されたことを開閉センサからの信号で判別した場合には、モード切換手段が排出モードに切り換える処理を行うことになり、処理不能に陥る不都合を回避できる。
【００１６】
本発明は、情報を表示するモニタを備え、前記モード切換手段は、前記自動スキャニングモードから排出モードに切り換えた場合には、その切換情報を前記モニタに表示する処理を行っても良い。
【００１７】
この構成により、モード切換手段が自動スキャニングモードから排出モードに切り換えた場合には、その切換情報をモニタに表示することになり、オペレータはモニタの表示に基づいて処理状態を正確に把握できる。
【発明を実施するための最良の形態】
【００１８】
以下、本発明の実施形態を図面に基づいて説明する。
〔全体構成〕
図１、図２に示すように、未現像写真フィルムの現像処理を行うフィルムプロセッサＦＰと、現像済写真フィルムのコマの情報をスキャニングして光電変換によりデジタル信号化された画像データとして取得するフィルムスキャナＦＳとを上下位置に配置すると共に、フィルムプロセッサＦＰから排出された現像済写真フィルムを導入ガイドＴを介して前記フィルムスキャナＦＳに送り込む供給作動と、フィルムプロセッサＦＰの上面のストッカーＳＴに送り出す排出作動とに切換自在な供給搬送ユニットＡを備えてフィルム処理装置が構成されている。
【００１９】
このフィルム処理装置は、写真プリント装置Ｐを制御する画像処理部Ｇによって制御することが可能である。この画像処理部Ｇには、通信機能と画像処理機能とを有する汎用コンピュータで成る処理装置３を備えると共に、モニタ４とキーボード５とマウス６とを備えている。フィルム処理装置は通信回線１を介して画像処理部Ｇの処理装置３に接続し、この処理装置３は通信回線２を介して写真プリント装置Ｐに接続している。
【００２０】
この構成により、画像処理部Ｇからの制御信号によってフィルム処理装置で処理の実行と、このフィルム処理装置での処理状況を画像処理部Ｇにおいて把握でき、また、このフィルム処理装置で取得した画像データを通信回線１を介して画像処理部Ｇの処理装置３に伝送することが可能である。更に、この画像処理部Ｇから通信回線２を介して写真プリント装置Ｐに伝送し、この写真プリント装置Ｐにおいて印画紙等のプリント媒体にプリントする処理も可能となる。
【００２１】
本発明では、写真プリント装置Ｐは銀塩式の印画紙を用いるものを想定しているが、銀塩式の印画紙だけでなく、インクジェット型ものや昇華型のプリント装置を用いて銀塩式以外のプリント媒体にプリントするものであっても良い。
【００２２】
本発明では、フィルムプロセッサＦＰに送り込む以前の写真フィルムを未現像写真フィルムと称し、フィルムプロセッサＦＰで現像処理を行った後の写真フィルムを現像済写真フィルムと称しているが、夫々の区別は明らかであるので、以下、未現像写真フィルムと現像済写真フィルムとをフィルムＦと略称する。
【００２３】
〔フィルムプロセッサ〕
前記フィルムプロセッサＦＰは、図１、図２、図１０に示すように、暗箱構造となる筐体構造のプロセッサ本体１０の前部にフィルム挿入部１１を配置し、プロセッサ本体１０の内部に現像処理部１２と乾燥処理部１３とを配置し、プロセッサ本体１０の後端側の上部位置に排出部１４を配置し、フィルム挿入部１１から前記排出部１４に亘って搬送機構１５を形成している。プロセッサ本体１０の前部位置には各種情報を表示する液晶ディスプレイ１６Ａと複数の操作ボタン１６Ｂを有したコントロールパネル１６を備え、プロセッサ本体１０の内部には該フィルムプロセッサ全体の制御を実現する制御ユニット１７を備えている。
【００２４】
尚、プロセッサ本体１０の前部とは、フィルム挿入部１１やコントロールパネル１６をオペレータが操作するために立つ側であり、前記フィルムスキャナＦＳにおいても、プロセッサ本体１０と同じ方向を前部と称する。
【００２５】
前記プロセッサ本体１０の後端側には排出ブロック１０Ａを上方に突出する形態で形成され、この排出ブロック１０Ａに形成した開口によって前記排出部１４が形成されている。前記プロセッサ本体１０の上面には、排出部１４から排出されるフィルムＦを収容する前記ストッカーＳＴを備えている。
【００２６】
前記フィルム挿入部１１には、開閉自在な蓋体１１Ａを備えており、このフィルム挿入部１１にはカートリッジＣｆ（パトローネ）にロール状で収容された長尺のフィルムＦを前記搬送機構１５に受け渡す作動系と、フィルムＦの後端を切断する切断ユニット（図示せず）を備えている。
【００２７】
また、このフィルム挿入部１１にはカートリッジＣｆの存否を判別するセンサ、あるいは、蓋体１１Ａの開閉状態を判別するセンサ等を備えているが、特に、図２、図１３に示すように、このフィルム挿入部１１には、フィルムＦが１３５サイズであるか、２４０サイズであるかを判別するフィルム種センサＳＦと、リーダＬの位置を判別するリーダセンサＳＬと、１３５サイズのフィルムＦのパーフォレーションＰｅの位置を検出するパーフォレーションセンサＳＰを備えている。
【００２８】
１３５サイズのフィルムＦの現像処理を例に挙げると、図１１に示すように、カートリッジＣｆから引き出したフィルムＦの先端に粘着型のスプライシングテープ等を用いてリーダＬを取り付け、蓋体１１Ａを開放して、このリーダＬが先行するようにフィルム挿入部１１にカートリッジＣｆをセットする。次に、蓋体１１Ａを閉じた後、前記コントロールパネル１６の所定の操作ボタン１６Ｂ等を操作することで、制御ユニット１７の制御によってフィルムの搬送が開始され、現像処理部１２での現像処理と、乾燥処理部１３での乾燥処理の後に排出部１４からリーダＬを先頭にしてフィルムＦが排出される。
【００２９】
前記リーダＬは樹脂製でフィルムＦと同程度の柔軟性を持つシート状であり、幅方向での一端には搬送用の複数のパーフォレーションＬｐが形成されている。
【００３０】
前記現像処理部１２は、１つの発色現像槽、１つの漂白槽、２つの定着槽、３つの安定槽を樹脂材料で単一化した処理ユニット１２Ａを備えており、前記搬送機構１５のうち、この処理ユニット１２ＡでフィルムＦを搬送する部位には処理ユニット１２Ａに形成した前記発色現像槽、漂白槽、定着槽、安定槽に対して、この順序で前記リーダＬ及びフィルムＦを搬送する複数の圧着型のローラを備えている。また、前記乾燥処理部１３には現像処理部１２から送り出されたフィルムＦに対して、外部の空気を加熱して吹き付けるブロワ１３Ａを備えている。
【００３１】
前記搬送機構１５は、前述したようにフィルム挿入部１１から排出部１４に亘ってフィルムＦを搬送する機能を有するものであり、この搬送を行うため搬送経路の各部に圧着ローラ１５Ａを備え、この複数の圧着ローラ１５Ａを電動モータ（図示せず）で同期駆動する駆動系を備えている。この搬送機構１５のうち、前記排出部１４に配置されたものを特に排出ローラ１５Ｅと称する。
【００３２】
前記ストッカーＳＴは、図４及び図１０に示すように、プロセッサ本体１０の上部に備えた透明樹脂製のカバー１８の内部空間で構成されている。このカバー１８は、後部位置（フィルムＦの搬送方向で上流側）から前部位置（フィルムの搬送方向で下流側）に亘って前記リーダＬの幅方向の両端部に接触して案内するガイド部１８Ｇを形成し、このカバー１８の後端側から中央部に亘ってフィルムＦが上下方向に通過するスリット１８Ｓを形成し、更に、このカバー１８の前端側に前記リーダＬを保持するリーダ保持部１８Ｌと回収孔１８Ｍとを形成している。前記ガイド部１８Ｇのうち後端側は、排出部１４から排出されたリーダＬの先端を上方に案内する傾斜面１８ＧＳを形成している。
【００３３】
このようにカバー１８が形成されているので、排出部１４からリーダＬが排出される際に、前記供給搬送ユニットＡが排出作動を行う場合には、リーダＬの先端が前記カバー１８に形成したガイド部１８Ｇの傾斜面１８ＧＳで案内されることで上方に持ち上げられ、この後、自重での滑動とフィルムＦからの押圧力とによって前記リーダ保持部１８Ｌに送り込まれる。このリーダＬに続くフィルムＦは前記スリット１８Ｓから前記ストッカーＳＴに落とし込まれる。
【００３４】
〔フィルムスキャナ〕
前記フィルムスキャナＦＳは、図１〜図３に示すように、筐体構造のスキャナ本体２０の下部にフィルムキャリア２１を備え、このフィルムキャリア２１の下側に光源ユニット２２を配置し、このフィルムキャリア２１の上側にズームレンズ２３と光電変換ユニット２４とを配置し、このスキャナ本体２０の内部に処理ユニット２５を備え、スキャナ本体２０の前面にスタートボタン２６を備えている。このフィルムスキャナＦＳは、前記フィルムプロセッサＦＰに固定された中間フレームＭの上端に支持され、前記排出ブロック１０Ａの上方に配置されている。
【００３５】
前記フィルムキャリア２１は、フィルムＦの下側に配置されるベース２１Ａと、このベース２１Ａの上部に配置されるカバー２１Ｂとを重ね合わせた構造を有すると共に、この重ね合わせ部分に前記フィルムＦをスキャニング位置に導くトンネル状の空間となる搬送経路が形成される。この搬送経路の導入側の端部に前記導入ガイドＴ（供給部の一例）を備え、搬送端位置にフィルムＦを巻き取る巻取ユニットＲを備え、この搬送経路には、フィルムＦを圧着して搬送する複数の圧着ローラ２１Ｒと、複数の存否センサ２１Ｓとを備えている。
【００３６】
前記存否センサ２１Ｓは発光ダイオード等で成る光源Ｓａと、フォトダイオードやフォトトランジスタ等で成る受光素子Ｓｂとで構成され、これらの存否センサ２１ＳはフィルムＦの導入を検出する位置と、フィルムＦがスキャニング位置の直前に達した状態を検出する位置と、フィルムＦの後端がスキャニング位置を通過した状態を検出する位置に配置されている。
【００３７】
前記光源ユニット２２はＲ（赤）、Ｇ（緑）、Ｂ（青）の３原色の発光ダイオード（ハロゲンランプ等の発光体を備えても良い）から作り出した白色光を、前記スキャニング位置において光軸に沿って上方に光線を送り出す。前記フィルムキャリア２１には、光源ユニット２２からの光線が送られるスキャニングゲートをスリット状に形成しており、前記ズームレンズ２３は、スキャニングゲートを通過した光線を光電変換ユニット２４の光電変換素子に結像させる。
【００３８】
光電変換ユニット２４にはＲ（赤）、Ｇ（緑）、Ｂ（青）の３原色に対応した３ライン型の可視光用のラインセンサ２４Ａと、赤外光（ＩＲ）を感知する１ライン型の赤外光用のラインセンサ２４Ｂとを内蔵すると共に、前記ズームレンズ２３からの可視光を透過させ、赤外光を反射させるダイクロイックミラー型のビームスプリッター２４Ｃを備えている。
【００３９】
前記ラインセンサ２４Ａ、２４ＢはＣＣＤ型やＣＭＯＳ型等光電変換素子を備えており、可視光用のラインセンサ２４Ａは、後述するプレスキャンと本スキャンとにおいて画像データを取得し、赤外光用のラインセンサ２４Ｂで取得したデータはフィルムＦのゴミや傷に起因する欠陥領域を特定し、濃度調整処理や、ニアレストネイバー法、バイリニア法、バイキュービック法等による補間処理によって本スキャンによって取得した画像データの欠陥を修正する処理に利用される。
【００４０】
図面には示していないが、フィルムキャリア２１には１３５サイズのフィルムＦに対応した搬送経路と、２４０サイズのフィルムＦに対応した搬送経路とが平行する姿勢で形成され、これらの搬送経路の搬送端に対して前記巻取ユニットＲを備え、前記導入ガイドＴはスライド作動を行わない部材に固定されている。このような構造のため、フィルムキャリア２１を前記搬送経路と直交する方向にスライド作動させることで一方の搬送経路のフィルムＦをスキャニング位置に供給できる。
【００４１】
前記巻取ユニットＲは、内部に巻き取り軸を備え、この巻き取り軸の駆動回転によりフィルムＦを一時的に先端側から巻き取る作動を行い、巻き取り軸の逆転によりフィルムＦを後端側から送り出す作動を実現する。
【００４２】
図面には示していないが、２４０サイズのフィルムＦのスキャニングを行う場合には、カートリッジに収容したフィルムをフィルムキャリア２１の端部にセットし、このカートリッジからフィルムキャリア２１にフィルムＦを引き出してスキャニングを行う処理形態となる。
【００４３】
このフィルムスキャナＦＳは、フィルムＦを先端側から巻取ユニットＲで巻き取りながら比較的高速で導入しながらフィルムＦの画像データを粗く（低解像度で）取得するプレスキャンと、フィルムＦを逆方向に送り出しながらフィルムＦの各コマの画像データを密に（高解像度で）取得する本スキャンとを行うようにスキャニング形態が設定されている。
【００４４】
前記導入ガイドＴは、図７に示すように導入経路の下側に配置されるガイド本体３１と、前記導入経路の上側に配置される蓋体３２とを開閉自在にヒンジ３３で連結し、蓋体３２を閉じ姿勢に維持する永久磁石３４を備えた構造を有し、この永久磁石３４によって蓋体３２を閉じ姿勢に設定した場合にはガイド本体３１と蓋体３２との間にトンネル状の導入経路が形成されるように構成されている。また、この導入ガイドＴでは前記蓋体３２の姿勢を検出する開閉センサ３５を備えている。
【００４５】
〔回収ユニット〕
このフィルムスキャナＦＳでの本スキャン後に前記導入ガイドＴの導入経路を介して送り出されるフィルムＦを前記ストッカーＳＴに送り込む回収ユニットＣを備えている。
【００４６】
図２、図４、図７〜図９に示すように、前記回収ユニットＣは、前記導入ガイドＴの延長線上に配置される排出ガイドＣａと、この排出ガイドＣａからのフィルムＦを前記ストッカーＳＴに送り込むループ状の回収ガイドＣｂとで構成されている。
【００４７】
前記排出ガイドＣａは前記導入ガイドＴと同様に排出経路の下側に配置されるガイド本体４１と、前記導入経路の上側に配置される蓋体４２とを開閉自在にヒンジ４３で連結し、蓋体４２を閉じ姿勢に維持する永久磁石４４を備えた構造を有し、この永久磁石４４によって蓋体４２を閉じ姿勢に設定した場合にはガイド本体４１と蓋体４２との間にトンネル状の導入経路が形成されるように構成されている。
【００４８】
尚、この排出ガイドＣａの蓋体４２は、前記導入ガイドＴの蓋体３２を開放した際には連係して開放するように、導入ガイドＴの蓋体３２に接当して開放操作力を作用させる構造を有している。
【００４９】
また、この排出ガイドＣａのガイド本体４１のフィルムＦの排出方向での下流側の端部の下面位置は、横向き姿勢の支軸４５周りで前記中間フレームＭに揺動自在に支持され、この支軸４５周りで揺動自在に案内片４６を備えている。
【００５０】
このガイド本体４１は揺動端を下方に向けてバネ（図示せず）で付勢され、前記供給搬送ユニットＡからフィルムＦの先端を導入ガイドＴに供給する際には、図１６（ｄ）に示すように揺動端が上方に揺動することによって、供給搬送ユニットＡからのフィルムＦの供給を許す。また、前記案内片４６はフィルムＦの排出方向の下流側の端部が前記支軸４５周りで上方に揺動するようにバネ（図示せず）で付勢され、前記蓋体４２を開放した場合にのみ同図に示す如く揺動端が上方に揺動する。
【００５１】
前記回収ガイドＣｂは、フィルムＦの幅方向の両端部を案内する案内部材４７と、この案内部材４７に沿ってフィルムＦを搬送する複数の圧着ローラ４８とを備えている。案内部材４７はフィルムＦの幅方向での両端位置を案内するように断面形状「コ」字状の案内部４７Ｇを備えている。
【００５２】
前記案内部材４７の上部位置の上面には前記案内片４６からのフィルムＦが送られる排出部４７Ａを形成しており、フィルムＦの排出方向で排出部４７Ａの上流側にはフィルムＦを案内する傾斜姿勢のガイド部を形成している。また、この回収ユニットＣには前記圧着ローラ４８を駆動するステッピングモータ型の回収モータＭ４８を備えている。
【００５３】
〔供給搬送ユニット〕
図２〜図６に示すように、前記供給搬送ユニットＡは前記フィルムスキャナＦＳの下方に配置され、前記フィルムプロセッサＦＰの排出部１４から排出されたフィルムＦを供給経路に沿って斜め上方に案内するガイドフレームＡｇと、このガイドフレームＡｇからのフィルムＦの先端を圧着して前記導入ガイドＴに供給する供給作動を行うチャックフレームＡｃとを備えている。
【００５４】
前記ガイドフレームＡｇは、前記供給経路の上側に配置された上部プレート５１と、この供給経路の下側に配置された下部プレート５２と、この下部プレート５２のフィルムＦの搬送方向の上流側の端部に支軸５３周りで揺動自在に支持した切換プレート５４と、前記供給経路に送られるリーダＬとフィルムＦを圧着して搬送力る２組の圧着ローラ５５と、フィルムＦを切断するカッターユニット５６と、リーダＬを検出するリーダ位置センサ５７と、フィルムＦを検出するフィルムセンサ５８とを備えている。尚、このリーダ位置センサ５７とフィルムセンサ５８とは、発光ダイオード等で成る光源Ｓａと、フォトダイオードやフォトトランジスタ等で成る受光素子Ｓｂとで構成されている。
【００５５】
この上部プレート５１と下部プレート５２との間にトンネル状の供給経路が形成され、これらは前記中間フレームＭに支持されている。前記切換プレート５４は、図６に示すように、リーダＬを案内する幅を有すると共に、中央部にフィルムＦの挿通を許す開口５４Ａが形成され、電磁型の切換ソレノイドＳ５４によって図１５（ａ）に示す案内姿勢と図１８に示す排出姿勢とに切り換えられ、切換プレート５４を排出姿勢に設定することにより、供給搬送ユニットＡはフィルムプロセッサＦＰから送り出されたフィルムＦをストッカーＳＴに送り出す排出作動を行う。
【００５６】
前記２組の圧着ローラ５５はステッピングモータで成る搬送モータＭ５５で駆動される。前記カッターユニット５６は一対の切断刃５６Ａを有し、電動モータで成るカッターモータＭ５６で駆動される。
【００５７】
前記チャックフレームＡｃは、前記中間フレームＭに支持された横向き姿勢の揺動軸６１周りで揺動自在に支持された揺動フレーム６２と、この揺動フレーム６２の揺動端においてフィルムＦをガイドする上下のガイド体６３と、このガイド体６３の部位においてフィルムＦを圧着搬送するチャックローラ６４とを備えている。
【００５８】
前記揺動フレーム６２はステッピングモータで成る揺動モータＭ６２からの駆動力によって図１５に示すチャック姿勢と、図１６（ｄ）に示す供給姿勢とに切換自在に構成されている。また、図５に示すように、前記チャックローラ６４の一方の軸端に入力ギヤ６４Ａを備え、揺動フレーム６２がチャック姿勢にある際に入力ギヤ６４Ａに咬合して駆動力を伝える第１伝動ギヤＧ１と、揺動フレーム６２が供給姿勢にある際に入力ギヤ６４Ａに咬合して駆動力を伝える第２伝動ギヤＧ２とを備え、この第１伝動ギヤＧ１と第２伝動ギヤＧ２とを独立して駆動するようにステッピングモータで成る第１モータＭ１と第２モータＭ２とを備えている。
【００５９】
特に、この揺動フレーム６２を供給姿勢に設定した場合には、この揺動フレーム６２が前記排出ガイドＣａに接当することにより、この排出ガイドＥを支軸４５周りで上方に揺動させ、揺動フレーム６２に備えたガイド体６３から前記導入ガイドＴに対して直線的にフィルムＦを供給する位置に達する。
【００６０】
〔制御形態〕
このフィルム処理装置では、フィルムプロセッサＦＰに備えた制御ユニット１７と、フィルムスキャナＦＳに備えた処理ユニット２５とが通信手段を介して情報を互いにアクセスするように接続されている。
【００６１】
また、このフィルム処理装置では自動スキャニングモードでの制御と、排出モードでの制御とが可能であり、自動スキャニングモードでの制御時には前記供給搬送ユニットＡの切換プレート５４を案内姿勢に設定することにより、フィルムプロセッサＦＰからのフィルムＦをフィルムスキャナＦＳに自動的に供給してスキャニングを行うものであるが、この自動スキャニングモードでの制御時にフィルムスキャナＦＳでのスキャニングが不可能であると判定した場合には、前記供給搬送ユニットＡの切換プレート５４を排出姿勢に切り換えることによりフィルムＦをストッカーＳＴに強制的に排出するよう制御形態が設定され、これらの制御を実現する制御構成と制御形態とを以下に説明する。
【００６２】
〔制御構成〕
このフィルム処理装置では、前記フィルムスキャナＦＳの処理ユニット２５が前記供給搬送ユニットＡと、前記回収ユニットＣの制御を行うものであり、その制御系を図１２のように示すことが可能である。
【００６３】
つまり、処理ユニット２５は入出力インタフェース８０と、この入出力インタフェース８０からの情報を処理するマイクロプロセッサＣＰＵとを備えると共に、前記入出力インタフェース８０は、フィルムキャリア２１、光源ユニット２２、ズームレンズ２３、光電変換ユニット２４、スタートボタン２６、開閉センサ３５夫々との間で情報をアクセスする系が形成されている。また、入出力インタフェース８０は通信ユニット８１と接続しており、この通信ユニット８１は前記供給搬送ユニットＡ、回収ユニットＣ、フィルムプロセッサＦＰ、画像処理部Ｇ夫々との間で情報をアクセスする系が形成されている。
【００６４】
図面には示していないが、前記入出力インタフェース８０は、前記フィルムキャリア２１の存否センサ２１Ｓからの信号が入力すると共に、圧着ローラ２１Ｒを駆動するモータに対して制御信号を出力する。これと同様に、入出力インタフェース８０は光源ユニット２２には発光を制御する信号を出力し、ズームレンズ２３には焦点距離を制御する信号と合焦を制御する信号とを出力し、前記光電変換ユニット２４には、変換を制御する信号を出力し、光電変換によって取得した画像データを取得する。
【００６５】
更に、この入出力インタフェース８０は、前記供給搬送ユニットＡの前記リーダ位置センサ５７と、フィルムセンサ５８とからの信号が入力すると共に、前記切換ソレノイドＳ５４と搬送モータＭ５５とカッターモータＭ５６とに対して制御信号を出力する。
【００６６】
前記マイクロプロセッサＣＰＵは、前記データを記憶するＲＡＭやＲＯＭで成る半導体メモリ８２、処理実行手段８３、プレスキャン実行手段８４、コマ抽出手段８５、本スキャン実行手段８６、モード切換手段８７、供給搬送制御部Ｘ、回収搬送制御部Ｙ夫々との間で情報をアクセスする情報系が形成されている。また、供給搬送制御部Ｘは搬送制御手段９１、切断制御手段９２、切断位置補正手段９２Ａ夫々を備え、回収搬送制御部Ｙは搬送制御手段９３を備えている。
【００６７】
前記処理実行手段８３は、フィルムプロセッサＦＰから排出されたフィルムＦを前記フィルムスキャナＦＳに送り込む自動スキャニングモードでの制御と、前記供給搬送ユニットＡに前記排出作動を行わせることによりフィルムプロセッサＦＰから排出されたフィルムＦをストッカーＳＴに排出する排出モードでの制御との何れかの制御を実現する。
【００６８】
また、処理実行手段８３は、前記フィルムプロセッサＦＰで現像処理が行われるフィルムＦを特定する識別情報（後述するオーダーナンバー）を前記モニタ４に表示する処理を行う。前記プレスキャン実行手段８４はフィルムスキャナＦＳにおいてフィルムＦを比較的高速で導入しながらフィルムＦの画像データを粗く（低解像度で）取得するプレスキャンを実行する。
【００６９】
コマ抽出手段８５は、プレスキャンによって取得した画像データからコマが存在する領域を抽出する。前記本スキャン実行手段８６は、フィルムＦを逆方向に送り出しながらフィルムＦの各コマの画像データを密（高解像度で）に取得する本スキャンを実行する。
【００７０】
前記モード切換手段８７は、前記開閉センサ３５からの信号に基づいて導入ガイドＴの蓋体３２の状態を判定し、自動スキャニングモードにおいて蓋体３２が開放状態にある場合には、排出モードに切り換える制御を行い、この切り換えを行ったことを示す情報を前記モニタ４に出力する処理を実行する。この排出モードへの切り換えは、フィルムプロセッサＦＰでフィルムＦの現像処理を開始した後、このフィルムＦが排出されるまでに蓋体３２が開放姿勢に設定された場合にも行われる。
【００７１】
前記供給搬送制御部Ｘの搬送制御手段９１は、前記供給搬送ユニットＡの切換プレート５４や圧着ローラ５５、あるいは、揺動フレーム６３とチャックローラ６４の作動によって該供給搬送ユニットＡにフィルムＦを導入した後に、このフィルムＦをフィルムスキャナＦＳに供給する処理を実行する。また、この供給搬送制御部Ｘの切断制御手段９２は、供給搬送ユニットＡのカッターユニット５６を作動させることにより導入したフィルムＦからリーダＬを切り離す処理を実行する。更に、切断位置補正手段９２Ａは切断位置の人為的な調節を実現する。
【００７２】
前記回収搬送制御部Ｙの搬送制御手段９３は、前記フィルムプロセッサＦＰから排出されたフィルムＦ前記回収ユニットＣにおいて搬送する制御を実行する。
【００７３】
前記処理実行手段８３、プレスキャン実行手段８４、コマ抽出手段８５、本スキャン実行手段８６、モード切換手段８７、供給搬送制御部Ｘの搬送制御手段９１と切断制御手段９２、切断位置補正手段９２Ａ、回収搬送制御部Ｙの搬送制御手段９３夫々は、ソフトウエアで構成するものを想定しているが、ハードウエアで構成することやハードウエアとソフトウエアとの組み合わせによって構成しても良い。
【００７４】
〔自動スキャニングモード〕
この自動スキャニングモードでの制御は前記処理実行手段８３によって行われるものである。その処理の概要を図１９のフローチャートのように示している。まず、フィルムＦ（未現像写真フィルム）をフィルムプロセッサＦＰにセットする以前に、画像処理部Ｇにおいてキーボード５等を操作することで、オペレータが現像処理後のフィルムＦ（現像済写真フィルム）をフィルムスキャナＦＳでスキャニングする処理を選択し、プリントサイズを選択する。これらの選択による処理データは前記モニタ４において図２１に示す処理画面７０に表示される（＃１０１、＃１０２ステップ）。
【００７５】
前記処理画面７０には、オーダーナンバー入力部７１と、プリントチャンネル入力部７２と、プリント設定部７３と、プリント枚数入力部７３Ａと、インデックス設定部７４と、メディア出力設定部７５と、処理情報表示部７６と、現像選択部７７とが形成されている。前記処理情報表示部７６には、複数のフィルムＦに対応したチャンネル名称と、オーダーナンバーと、オーダー状態と、フィルムの排出先と、エラーの発生の有無、フィルムＦの種類等を表示する領域が形成されている。
【００７６】
前記オーダーナンバー入力部７１にはフィルムＦを特定する識別情報としてフィルムＦに与えたオーダーナンバーの入力が可能である。プリントチャンネル入力部７２にはプリントチャンネルの入力が可能である。プリント設定部７３には取得した画像データの出力形態としてプリント処理を選択でき、プリント枚数入力部７３Ａには各コマのプリント枚数の入力が可能である。インデックス設定部７４ではインデックスプリントの有無を選択できる。メディア出力設定部７５には取得した画像データの出力形態としてＣＤ−Ｒ等のメディアを設定できる。
【００７７】
処理情報表示部７６には、オーダーナンバーで識別可能な状態で、オーダー状態としてフィルムＦの処理状況がリアルタイムで表示されるが、フィルムスキャナＦＳでスキャニングが不能である場合、及び、蓋体３２が開放操作されることによりフィルムＦが排出モードで排出された場合において、同図に示すように「選択待ち」の情報が表示される。尚、このフローチャートには示していないが、リアルタイムでの表示としては、フィルムプロセッサＦＰにおいてフィルムＦがローディング中であることを示す情報、現像処理中であることを示す情報、フィルムスキャナＦＳにおいてプレスキャンが実行されていることを示す情報、本スキャンが実行されていることを示す情報等を例に挙げることができる。
【００７８】
また、この処理では、画像処理部Ｇにおいて処理に必要な選択を行ったが、本発明では、前記コントロールパネル１６において処理に必要な選択を行うものであっても良い。ちなみに、現像選択部７７にチェックを行うことにより、フィルムＦの現像処理のみが行われ、フィルムＦはフィルムスキャナＦＳに供給されることなく、ストッカーＳＴに排出される（排出モードでの処理）。
【００７９】
次に、フィルムプロセッサＦＰのフィルム挿入部１１にフィルムＦのカートリッジＣｆをセットし現像処理を開始する。このように現像処理を開始した場合には、前記リーダセンサＳＬとパーフォレーションセンサＳＰとの検出結果に基づいて、図１４に示す如くリーダＬの後端とパーフォレーションＰｅの開口縁との相対距離Ｄを取得する（＃１０３、＃１０４ステップ）。
【００８０】
この相対距離Ｄは、リーダＬの後端位置から設定されただけ離間した領域に存在するパーフォレーションＰｅを対象とするものであるが、リーダＬの後端位置の直後（リーダＬに最も近い位置）のパーフォレーションＰｅを対象としても良い。
【００８１】
また、フィルムＦの現像処理を開始した後には、前記開閉センサ３５からの検出信号が取得され、この開閉センサ３５からの検出信号から導入ガイドＴの蓋体３２の状態をフィルムＦの先端が前記排出部１４から排出される直前まで、繰り返して判定し続け、蓋体３２が閉じ状態にある場合には、前記供給搬送制御部Ｘでの制御により供給搬送ユニットＡがフィルム供給作動を行う（＃１０５、＃１０６、＃２００ステップ）。
【００８２】
この後、フィルムスキャナＦＳにおいてスキャニングが実行され、このスキャニングの終了後に、このオーダーナンバーと共に、関連する情報が前記処理画面７０から消去され、更に、スキャニング後のフィルムＦが前記回収ユニットＣで搬送され前記ストッカーＳＴに回収される（＃１０７〜＃１０９ステップ）。
【００８３】
このフローチャートでは、フィルムスキャナＦＳでのスキャニングの形態を示していないが、フィルムスキャナＦＳでは、前述した通り、前記導入ガイドＴから供給されるフィルムＦを前記フィルムキャリア２１において比較的高速で搬送する形態でフィルムＦの長手方向の全ての情報を粗く取り込むプレスキャンが実行される（プレスキャン実行手段８４による処理）。このようにプレスキャンを実行する際には前記巻取ユニットＲにフィルムＦの先端が巻き取られる形態となる。
【００８４】
このプレスキャンを実行した後には、前記コマ抽出手段８５がプレスキャンで取得した画像データの画像処理を行うことによってコマを特定する処理を行う。この後に、前記本スキャン実行手段８６が、プリントサイズに対応した画素数となる画像データを取得するように搬送速度を設定した後に（画素数が多くなるほどスキャニング時の搬送速度も低速化する）、前記巻取ユニットＲに巻き取られたフィルムＦを逆方向に搬送しながら、コマ毎に画像データを取得する本スキャンを実行する。
【００８５】
このように取得されたプレスキャンと本スキャンとで取得された画像データは、前記画像処理部Ｇに伝送され、この画像処理部Ｇにおいて、必要な処理を行った後に写真プリント装置Ｐに伝送され、印画紙等のプリント媒体にプリントする処理が実行される。
【００８６】
また、＃１０６ステップにおいて蓋体３２が開放状態にあると判定した場合には、モード切換手段８７が、制御モードを排出モードに切り換えることで前記供給搬送ユニットＡの切換プレート５４を排出姿勢に設定して、前記フィルムプロセッサＦＰの排出部１４からのフィルムＦをストッカーＳＴに排出する作動を行い、この排出に対応した情報を前記モニタ４の処理画面７０に表示する（＃１１０、＃１１１ステップ）。
【００８７】
尚、処理画面７０表示される情報としては、排出モードに切り換えたフィルムＦのオーダーナンバーに関連付けて排出モードでフィルムＦが排出されたことを示す情報であるが、この情報は必ずしも処理画面７０に表示する必要はなく、新たに画面を開き、その画面に表示するように処理形態を設定しても良い。
【００８８】
〔フィルム供給作動〕
前記フィルム供給作動（＃２００ステップ）はサブルーチンとして設定されたものであり、その処理を図２０のフローチャートに示している。
【００８９】
つまり、図１５（ａ）に示すように、切換プレート５４を案内姿勢に設定し、揺動フレーム６２をチャック姿勢に設定し（既にチャック姿勢にある場合には、その姿勢を維持する）、圧着ローラ５５の駆動を開始し、排出部１４からリーダＬが排出された場合には、前記リーダ位置センサ５７の検出結果に基づいて図１５（ｂ）に示すように、フィルムＦを切断位置まで搬送して停止し（この一連の処理は前記搬送制御手段９１と切断制御手段９２とが実行する）、この停止の後に、前記切断制御手段９２がカッターユニット５６を制御してフィルムＦを切断する（＃２０１〜＃２０６ステップ）。
【００９０】
この処理では、リーダＬの後端位置を基準にしてフィルムＦの搬送方向で設定された距離だけ離間した領域内の複数のパーフォレーションＰｅの中間位置を切断位置に設定して切断が実行される。つまり、リーダ位置センサ５７はリーダＬの後端を検出したタイミングでのフィルムＦの搬送位置を基準に設定すると共に、前記＃１０４ステップの処理によって取得した相対距離Ｄに基づいて、切断位置とするフィルムＦのパーフォレーションＰｅの中間位置を求め、この中間位置を前記カッターユニット５６による切断位置まで搬送するための搬送距離Ｄｘを求め、この搬送距離Ｄｘに対応した駆動パルス数を求め、この駆動パルスだけ前記搬送モータＭ５５を駆動してフィルムＦを停止させる。このようにフィルムＦを停止させた状態でカッターユニット５６でフィルムＦを切断することにより、フィルムＦのパーフォレーションＰｅの中間位置での切断が実現する。
【００９１】
つまり、フィルムＦに形成されたパーフォレーションＰｅの間隔（ピッチ）は決まったものであり、この処理では、前述した相対距離Ｄを予め求めておくだけで、リーダ位置センサ５７からの検出信号のみに基づいて切断位置を精度高く設定して、フィルムＦの切断が可能となるのである。図面では相対距離Ｄと搬送距離Ｄｘとを異なる値に設定しているが、これらの距離Ｄ、Ｄｘを等しい値に設定しても良い。
【００９２】
また、供給搬送ユニットＡでは搬送モータＭ５５によってフィルムＦを搬送するため、この搬送モータＭ５５のスリップや、ローラ径の経時変化によって切断位置が正確でなくなる場合も発生する。このような場合には、オペレータがキーボード５等から所定の操作を行うことにより、前記切断位置補正手段９２Ａが前記モニタ４に対して図２２に示す切断位置調整画面１００を表示し、この画面中において切断位置の調節を行うことも可能である。
【００９３】
つまり、切断位置調整画面１００には、切断位置に達するまでの搬送量の増大と減少との何れかをチェックによって選択する選択部１０１と、調整量（搬送距離）を数値で入力する入力部１０２と、ＯＫボタン１０３と、キャンセルボタン１０４とが表示され、必要な数値を入力部１０２に入力し、ＯＫボタン１０３を操作することにより、その数値が取得されると共に、この数値をパルス数に変換し、このパルス数が前記駆動パルス数を増減する形態で与えられることになる。
【００９４】
フローチャートには示していないが、フィルムＦの切断を行う以前には図１６（ｃ）に示すように、前記切換プレート５４を排出姿勢に設定する作動が行われ、供給搬送ユニットＡにおいてフィルムＦの搬送は一時的に停止するものの、排出部１４からはフィルムＦが継続的に排出されるので、この排出部１４と供給搬送ユニットＡとの中間部分には、同図において仮想線で示す如くフィルムＦの弛みが形成されるものとなり、切換プレート５４に形成された開口５４Ａが弛みの形成を許す。
【００９５】
前述のようにフィルムＦの切断を行う状態にある場合には、リーダＬがチャックローラ６４に圧着された状態にある。従って、フィルムＦを切断した後には、このチャックローラ６４で予め設定された量だけ搬送するように駆動を行うことによってリーダＬを排出し、この排出の後には、圧着ローラ５５とチャックローラ６４とを等速で同期駆動することによってフィルムＦの搬送を開始し、このフィルムＦの先端部をチャックローラ６４で圧着する（＃２０７、＃２０８ステップ）。
【００９６】
この処理で排出されたリーダＬは前記リーダ保持部１８Ｌに落下して貯留される。また、フィルムＦをチャックローラ６４で圧着する際には、フィルムＦの搬送開始によりフィルムセンサ５８でフィルムＦの先端を検出したタイミングを基準にして、予め設定されたパルス数だけ第１モータＭ１を駆動することによって、このフィルムＦの先端がチャックローラ６４で圧着される位置まで送られることになり、この位置で搬送が停止する。
【００９７】
次に、図１６（ｄ）に示すように、揺動フレーム６２を供給姿勢まで揺動作動し、チャックローラ６４の駆動によってフィルムＦの供給を開始し、この供給時にチャックローラ６４より搬送方向での上流側のフィルムＦにループを形成し、供給が完了した後には、各ローラの駆動を停止し、揺動フレーム６２をチャック姿勢に設定する（＃２０９〜＃２１３ステップ）。このように供給搬送ユニットＡにおいてフィルムＦをフィルムスキャナＦＳに供給する制御は前記搬送制御手段９１が実行する。
【００９８】
この処理では揺動フレーム６２を供給姿勢に設定することにより、揺動フレーム６２との接当によって前記排出ガイドＣａが支軸４５周りで揺動して退避するものとなり、このようにフィルムＦの供給を開始した後には、供給搬送ユニットＡでの搬送速度をチャックローラ６４でのフィルムＦの搬送速度より高速にすることによりループを作り出し、プレスキャンが行われるフィルムＦに対して張力を作用させないものにしている。この後、各ローラの駆動を停止し、揺動フレーム６２をチャック姿勢に設定することでフィルム供給作動が終了する。
【００９９】
〔排出モード〕
フローチャートには示していないが、前記処理実行手段８３はフィルムプロセッサＦＰから送り出されたフィルムＦを前記ストッカーＳＴに排出する制御も行う。つまり、この排出モードでの制御を行う際には、前記自動スキャニングモードと同様に、フィルムＦ（未現像写真フィルム）をフィルムプロセッサＦＰにセットする以前に、画像処理部Ｇにおいて、前記処理画面７０の現像選択部７７にオペレータがチェックを行うことにより、図１８に示すように、切換プレート５４を排出姿勢に設定し、現像処理後のフィルムＦ（現像済写真フィルム）を、前記供給搬送ユニットＡに送ることなく、前記ストッカーＳＴに排出することになる。このように排出モードが選択された場合には、前記モニタ４にオーダーナンバーとともに排出モードが選択されている情報が表示され、フィルムプロセッサＦＰからストッカーＳＴにフィルムＦが排出された時点で、このオーダーナンバーと、これに関連する情報とがモニタ４から消去される。
【０１００】
〔マニュアルスキャンモード〕
本発明のフィルム処理装置では、１３５サイズのフィルムＦのスキャニングを行う場合には、前記排出ガイドＥの蓋体３２と、回収ユニットＣにおける排出ガイドＣａの蓋体４２とをオペレータが開放し、この部位からフィルムＦを人為的に挿入し、前記スタートボタン２６を操作することによりスキャニングが行われる。
【０１０１】
このスキャニングの形態は前述したものと同様にプレスキャンの後に本スキャンが行われるように処理のシーケンスが設定され、本スキャンの後には、図１７に示すようにフィルムＦが案内片４６によって案内部材４７の排出部４７Ａに送り出される。
【０１０２】
このように、本発明では、従来からのフィルムプロセッサＦＰとフィルムスキャナＦＳとの基本的な構造を変更せずに、供給搬送ユニットＡ、導入ガイドＴ等を備えると云う基本的な設計を大きく変更しないものでありながら、フィルムプロセッサＦＰでの現像処理の後に、フィルムＦをフィルムスキャナＦＳに自動的に供給する自動スキャニングモードでの制御を実現している。
【０１０３】
そして、自動スキャニングモードでの制御を実現するばかりでなく、導入ガイドＴの蓋体３２を開放して、この導入ガイドＴの部位にフィルムＦをする人為的な操作によるスキャニングも可能となる。
【０１０４】
また、自動スキャニングモードでフィルムＦの現像処理を開始した後に蓋体３２を誤って開放した場合には、フィルムプロセッサＦＰから排出されたフィルムＦを排出モードで搬送することにより、既にフィルムＦのスキャニングを開始しているフィルムスキャナＦＳに対して供給搬送ユニットＡから無理にフィルムＦを供給する制御を回避して、適正にフィルムＦを排出するものにしている。更に、このようにフィルムＦが排出モードで排出する制御が行われた場合には、この排出処理を、フィルムＦを特定するオーダーナンバーとともにモニタ４に表示することによってオペレータが処理状況を正確に認識できるものとなる。
【図面の簡単な説明】
【０１０５】
【図１】フィルム処理装置と画像処理装置とを示す斜視図
【図２】フィルム処理装置の縦断側面図
【図３】供給搬送ユニットからフィルムプロセッサに至るフィルム供給系の側面図
【図４】供給搬送ユニットと導入ガイドと回収ユニットとを示す側面図
【図５】供給搬送ユニットの揺動フレームの作動の概要を示す側面図
【図６】切換プレートの開口を示す図
【図７】導入ガイドの断面図
【図８】排出ガイドの断面図
【図９】案内部材の断面図
【図１０】フィルムプロセッサの平面図
【図１１】リーダを取り付けたフィルムの斜視図
【図１２】フィルム処理装置の制御系を示すブロック回路図
【図１３】センサ類の配置を模式的に示した図
【図１４】リーダとパーフォレーションとの相対距離を示す図
【図１５】フィルムを受け入れと、切断位置まで搬送した状態とにおける供給搬送ユニットの部位の側面図
【図１６】フィルムの切断と、フィルムの先端を導入ガイドに供給する際とにおける供給搬送ユニットの部位の側面図
【図１７】マニュアルスキャンモードにおいてフィルムの排出時の状態を示す側面図
【図１８】排出モードでのフィルムの搬送形態を示す図
【図１９】自動スキャニングモードのフローチャート
【図２０】フィルム供給作動ルーチンのフローチャート
【図２１】処理画面を示す図
【図２２】切断位置調整画面を示す図
【符号の説明】
【０１０６】
４            モニタ
３１          ガイド本体
３２          蓋体
３５          開閉センサ
８７          モード切換手段
９１          搬送制御手段
Ａ            供給搬送ユニット
Ｆ            未現像写真フィルム・現像済写真フィルム
ＦＰ          フィルムプロセッサ
ＦＳ          フィルムスキャナ
Ｔ            導入ガイド
【図１】
2007206505.tif 000003
【図２】
2007206505.tif 000004
【図３】
2007206505.tif 000005
【図４】
2007206505.tif 000006
【図５】
2007206505.tif 000007
【図６】
2007206505.tif 000008
【図７】
2007206505.tif 000009
【図８】
2007206505.tif 000010
【図９】
2007206505.tif 000011
【図１０】
2007206505.tif 000012
【図１１】
2007206505.tif 000013
【図１２】
2007206505.tif 000014
【図１３】
2007206505.tif 000015
【図１４】
2007206505.tif 000016
【図１５】
2007206505.tif 000017
【図１６】
2007206505.tif 000018
【図１７】
2007206505.tif 000019
【図１８】
2007206505.tif 000020
【図１９】
2007206505.tif 000021
【図２０】
2007206505.tif 000022
【図２１】
2007206505.tif 000023
【図２２】
2007206505.tif 000024